(57)【要約】【課題】塗膜層の形成に支障をきたすことなく加飾パネルに取付部を設けることにより、内装加飾パネルをインストルメントパネルに位置ずれなく容易に取り付けることができるようにするとともに、異音の発生や内装加飾パネルの傷付きを防止し、さらには、意匠性の高い内装加飾パネルを提供する。【解決手段】第１内装加飾パネル１は、裏面に塗膜層２３が形成された透明の表側パネル２１と、表側パネル２１の裏側に対向配置されインストルメントパネル３への取付部であるボス部２５を有する裏側パネル２７とを備え、ボス部２５を介してインストルメントパネル３に取り付けられる。表側パネル２１は、裏側パネル２７との間に空間２９を有するように表側パネル２１の端末部３１が裏側パネル２７の端末部３３に支持されて裏側パネル２７に取り付けられている。【選択図】  図３
2007145237.tif 000002
【特許請求の範囲】
【請求項１】
裏面に塗膜層が形成された透明もしくは半透明の表側パネルと、該表側パネルの裏側に対向配置され他部品への取付部を有する裏側パネルとを備え、上記取付部を介して車両用内装品に取り付けられる車両用内装加飾パネルであって、
上記表側パネルは、裏側パネルとの間に空間を有するように表側パネルの端末部が裏側パネルの端末部に支持されて裏側パネルに取り付けられていることを特徴とする車両用内装加飾パネル。
【請求項２】
請求項１に記載の車両用内装加飾パネルにおいて、
表側パネルの塗膜層は、裏側パネルの表面意匠が透過視可能なように透かし模様で構成されていることを特徴とする車両用内装加飾パネル。
【請求項３】
請求項２に記載の車両用内装加飾パネルにおいて、
裏側パネルの表面にも塗膜層が形成されていることを特徴とする車両用内装加飾パネル。
【請求項４】
請求項１乃至３のいずれか１項に記載の車両用内装加飾パネルにおいて、
表側パネルは半透明材からなり、かつ厚みが中央部から端末部に向かって漸次増大していることを特徴とする車両用内装加飾パネル。
【請求項５】
請求項１乃至４のいずれか１項に記載の車両用内装加飾パネルにおいて、
表側パネルの裏面には凹凸模様が形成されていることを特徴とする車両用内装加飾パネル。
【請求項６】
請求項２乃至５のいずれか１項に記載の車両用内装加飾パネルにおいて、
裏側パネルの表面には凹凸模様が形成されていることを特徴とする車両用内装加飾パネル。
【請求項７】
請求項１乃至６のいずれか１項に記載の車両用内装加飾パネルにおいて、
表側パネル及び裏側パネルの各々の端末部は、枠体で挟持されていることを特徴とする車両用内装加飾パネル。
【発明の詳細な説明】
【技術分野】
【０００１】
この発明は、車両用内装品に取り付けられる内装加飾パネルに関するものである。
【背景技術】
【０００２】
特許文献１には、透明基材の表裏両面に模様を構成する塗膜層が印刷され、上記透明基材の表面側には上記模様を覆うようにクリアコート層が設けられているとともに、裏面側には上記模様を覆うように黒色塗料のベース塗膜層が形成された内装加飾パネルが開示されている。該内装加飾パネルは、透明基材の表面側から見ると表裏両面の模様が厚み方向を隔てて重なり合って立体感を醸し出している。このような内装加飾パネルは、例えば、特許文献２のように、接着材を介して車両用内装品であるドアトリム等に取り付けられる。
【特許文献１】特開平１１−３４８２２３号公報（段落００１５欄、００１６欄、図３）
【特許文献２】特開２００２−２４０６４５号公報（段落０００８欄、図２）
【発明の開示】
【発明が解決しようとする課題】
【０００３】
しかし、上記のように内装加飾パネルを接着材を介してドアトリム等に取り付ける際、一旦位置がずれて接着させてしまうと、それを剥がして再度貼り直さなければならず、また剥がすのも困難である。そのため、取付の際の位置決めを慎重に行わなければならず作業性が悪い。一方、接着させてから長時間が経過すると周囲の温度や湿度等の影響により接着材の質が劣化して剥がれてしまうことがあり、意匠性の低下を招くとともに、取付機能の信頼性が乏しくなる。
【０００４】
上記の問題を解決するために、透明基材の裏面にドアトリム等への取付部を直接設けることも考えられるが、そうすると模様等の塗膜層を形成するのに取付部が邪魔になって意匠層の形成が困難であり、さらにはそのデザインに制約が生じることになる。また、取付部を形成した別部材を透明基材に接触させて取り付けると、車両の振動等で両者が当接して異音の発生や内装加飾パネルの傷付きが問題となる。
【０００５】
この発明はかかる諸点に鑑みてなされたものであり、その目的とするところは、塗膜層の形成に支障をきたすことなく加飾パネルに取付部を設けることにより、内装加飾パネルを車両用内装品に位置がずれることなく容易に取り付けることができるようにするとともに、異音の発生や内装加飾パネルの傷付きを防止し、さらには、意匠性の高い内装加飾パネルを提供することである。
【課題を解決するための手段】
【０００６】
上記の目的を達成するため、この発明は、塗膜層が形成された表側パネルと、取付部を有する裏側パネルとの配置に工夫を凝らしたことを特徴とする。
【０００７】
具体的には、この発明は、裏面に塗膜層が形成された透明もしくは半透明の表側パネルと、該表側パネルの裏側に対向配置され他部品への取付部を有する裏側パネルとを備え、上記取付部を介して車両用内装品に取り付けられる車両用内装加飾パネルを対象とし、次のような解決手段を講じた。
【０００８】
すなわち、請求項１に記載の発明は、上記表側パネルは、裏側パネルとの間に空間を有するように表側パネルの端末部が裏側パネルの端末部に支持されて裏側パネルに取り付けられていることを特徴とする。
【０００９】
請求項２に記載の発明は、請求項１に記載の発明において、表側パネルの塗膜層は、裏側パネルの表面意匠が透過視可能なように透かし模様で構成されていることを特徴とする。
【００１０】
請求項３に記載の発明は、請求項２に記載の発明において、裏側パネルの表面にも塗膜層が形成されていることを特徴とする。
【００１１】
請求項４に記載の発明は、請求項１乃至３のいずれか１項に記載の発明において、表側パネルは半透明材からなり、かつ厚みが中央部から端末部に向かって漸次増大していることを特徴とする。
【００１２】
請求項５に記載の発明は、請求項１乃至４のいずれか１項に記載の発明において、表側パネルの裏面には凹凸模様が形成されていることを特徴とする。
【００１３】
請求項６に記載の発明は、請求項２乃至５のいずれか１項に記載の発明において、裏側パネルの表面には凹凸模様が形成されていることを特徴とする。
【００１４】
請求項７に記載の発明は、請求項１乃至６のいずれか１項に記載の発明において、表側パネル及び裏側パネルの各々の端末部は、枠体で挟持されていることを特徴とする。
【発明の効果】
【００１５】
請求項１に係る発明によれば、内装加飾パネルは取付部を介して車両用内装品に取り付けられるので、取付部を内装品の取付箇所に対応させることで位置ずれを生じることなく位置決めを容易に行うことができ、内装加飾パネルを内装品に確実に取り付けることができる。さらに、表側パネルと裏側パネルとの間には空間が形成されているので、両者が当接せず、当接音による不快感を乗員に与えることがない。また、当接による塗膜層の傷付きも防止することができる。加えて、塗膜層が形成された表側パネルの裏側に直接取付部を設けていないので、取付部が塗膜層の形成の邪魔にならず、意匠性の高い塗膜層を容易に形成することができる。
【００１６】
請求項２に係る発明によれば、裏側パネルの表面意匠を空間を通して透過視可能であるので、空間を利用して深みのある意匠を得ることができる。
【００１７】
請求項３に係る発明によれば、表側パネルの塗膜層と裏側パネルの塗膜層とが距離を隔てて重なり合っているので、遠近感が出て深みのある複雑な意匠を構成することができる。
【００１８】
請求項４に係る発明によれば、内装加飾パネルの端末部近傍において表側パネルの厚み変化により塗膜層が霞んで見え、変化に富んだ意匠にすることができる。
【００１９】
請求項５に係る発明によれば、表側パネルの裏面に形成された凹凸模様で光が屈折し、深みのある立体的な意匠を構成することができる。
【００２０】
請求項６に係る発明によれば、表側パネルの裏面と裏側パネルの表面との両者に凹凸模様が形成されている場合には、両者の凹凸模様で光が屈折し、より一層深みのある立体的な意匠を構成することができる。
【００２１】
請求項７に係る発明によれば、表側パネルと裏側パネルとを各々の端末部を枠体で挟持して確実に固定することができる。さらに、上記枠部が表面意匠のアクセントとなって意匠性を向上させることができる。
【発明を実施するための最良の形態】
【００２２】
以下、この発明の実施形態について図面に基づいて説明する。
【００２３】
（実施形態１）
図１は車両用内装品としての樹脂製インストルメントパネル３を示す。該インストルメントパネル３は車幅方向に延びるアッパパネル５と、該アッパパネル５の車幅方向両側に位置する２枚のロアパネル７と、上記アッパパネル５の車幅方向中央で上記両ロアパネル７間に位置するセンターパネル９とで構成されている。上記インストルメントパネル３の図１左側が助手席、図１右側が運転席に対応しており、該運転席側に各種の計器類が組み込まれるメータフード１１が形成されているとともに、該メータフード１１下方にはステアリング装置取付用の開口１３が形成されており、上記アッパパネル５の車幅方向両端部及びセンターパネル９の上部にはエア吹出口１５がそれぞれ形成されている。上記センターパネル９の中央部には、オーディオ機器が組み込まれる開口１６が、その下部には、エアコン操作部が組み込まれる開口１８が形成されている。また、図１左側のロアパネル７には、グローブボックス１７が組み込まれている。上記インストルメントパネル３にはこの発明の実施形態１に係る車両用内装加飾パネルが２種類設けられている。その１つは、グローブボックス１７の上部でアッパパネル５の下端に設けられ、同一幅で車幅方向に延び一端が弓状に曲った第１内装加飾パネル１であり、もう１つは、上記センターパネル９の車幅方向両側に設けられた一対の第２内装加飾パネル１９である。
【００２４】
図２は、上記第１内装加飾パネル１の拡大正面図であり、図３は図１及び図２のIII−III線における断面図である。該第１内装加飾パネル１は、裏面に塗膜層２３が形成された表側パネル２１と、該表側パネル２１の裏側に対向配置された裏側パネル２７とを備え、上記表側パネル２１の塗膜層２３は、図３右上に拡大して示すように、木目模様等の透過視可能なような透かし模様の第１塗膜層２３ａと下地を構成する第２塗膜層２３ｂとの２層構造からなっている。上記表側パネル２１は、裏面２１ｂのこれら第１塗膜層２３ａ及び第２塗膜層２３ｂが表側より透過視可能なように全体が透明材もしくは半透明材で構成されている。
【００２５】
上記表側パネル２１の幅方向両側の端末部３１には、上部が断面略Ｌ字状に切り欠かれた段部３１ａが形成されている。該端末部３１には複数個の嵌合孔３９が長手方向に間隔をあけて形成されている。また、表側パネル２１の両側の端末部３１を除く領域は厚みが均一に形成されて表面２１ａ及び裏面２１ｂが平行な平面になっている。
【００２６】
上記裏側パネル２７の幅方向両側の厚肉に形成された端末部３３を除く領域は、該端末部３３よりも薄肉に形成され、かつ厚みが均一に形成されて表面２７ａ及び裏面２７ｂが平行な平面になっている。上記裏側パネル２７の端末部３３の上面には複数個の位置決めピン３７が長手方向に間隔をあけて上記表側パネル２１の嵌合孔３９に対応するように突設される。さらに、両側の端末部３３裏面には複数個の係合爪部４５が長手方向に間隔をあけて上記位置決めピン３７に対応して突設されている。
【００２７】
上記裏側パネル２７の裏面２７ｂの両側の端末部３３寄りには、取付部としての筒状ボス部２５が長手方向に間隔をあけて裏側に向かって複数個突設され、該ボス部２５の中央部にはネジ４７をねじ込む凹部４９が形成されている。
【００２８】
上記表側パネル２１及び裏側パネル２７の各々の端末部３１，３３は、枠体３５で挟持されている。具体的には、上記枠体３５は、側板部３５ａを有し該側板部３５ａの両端から上板部３５ｂと下板部３５ｃとが略直角に延びて断面略コ字状に形成されている。該下板部３５ｃには、裏側パネル２７の係合爪部４５が係合される係合孔部４３が車幅方向に間隔をあけて複数個形成されている。これら表側パネル２１、裏側パネル２７及び枠体３５は射出成形により成形されている。また、表側パネル２１に形成された透かし模様の第１塗膜層２３ａは水圧転写で形成され、下地を構成する第２塗膜層２３ｂは吹き付け塗装により形成されている。
【００２９】
そして、このように構成された第１内装加飾パネル１は、上記表側パネル２１の嵌合孔３９に上記裏側パネル２７の位置決めピン３７を嵌合させた状態で表側パネル２１及び裏側パネル２７の両端末部３１，３３に両側方から枠体３５を外嵌めして、上記裏側パネル２７の係合爪部４５を枠体３５の係合孔部４３に係合させ、枠体３５で上記表側パネル２１の端末部３１と裏側パネル２７の端末部３３とを挟持している。こうして、表側パネル２１の端末部３１が裏側パネル２７の端末部３３に支持されて表側パネル２１と裏側パネル２７との間に空間２９を有するように表側パネル２１が裏側パネル２７に取り付けられている。上記枠体３５の上板部３５ｂの上面及び上記表側パネル２１の表面２１ａが略面一になるように構成されている。
【００３０】
上記インストルメントパネル３の第１内装加飾パネル１取付箇所には、図３仮想線で示すように、車幅方向に延びる凹部５０が形成されている。該凹部５０には第１内装加飾パネル１の上記ボス部２５を嵌入する嵌入孔部５１が形成されている。
【００３１】
そして、上記第１内装加飾パネル１をインストルメントパネル３の凹部５０に対応させてボス部２５をインストルメントパネル３の嵌入孔部５１に表側から嵌入して、インストルメントパネル３の裏側からネジ４７を上記ボス部２５の凹部４９にねじ込み上記第１内装加飾パネル１を上記インストルメントパネル３に取り付けている。この状態で、該インストルメントパネル３の表面、上記枠体３５の上板部３５ｂの上面及び上記表側パネル２１の表面２１ａが略面一になるように構成されている。
【００３２】
一方、上記第２内装加飾パネル１９は、図４に示すように、表側パネル２１、裏側パネル２７及び枠体３５の三者で構成されている点においては、上記第１内装加飾パネル１と同じであるが、これら三者の関わり、第２内装加飾パネル１９の取付構造及び第２内装加飾パネル１９の全体形状が第１内装加飾パネル１と異なっている。以下、これらの相違点について説明する。すなわち、第２内装加飾パネル１９は、表側パネル２１及び裏側パネル２７が断面「し」字状に形成されている。該第２内装加飾パネル１９の表側パネル２１及び裏側パネル２７の両端末部３１，３３のうち、図４左側（図１手前側）の端末部３１，３３は、上記第１内装加飾パネル１と同様に構成されており、上記表側パネル２１の端末部３１の嵌合孔３９に上記裏側パネル２７の端末部３３の位置決めピン３７が嵌合されている。これに対し、図４右側（図１奥側）では裏側パネル２７の端末部３３に断面略コ字状の凹部５３が形成され、該凹部５３に表側パネル２１の端末部３１が挿入されて、表側パネル２１の端末部３１が裏側パネル２７の端末部３３に支持されている。この状態で、図４左側の端末部３１，３３に第１内装加飾パネル１と同様に構成された枠体３５を外嵌めして、上記表側パネル２１の端末部３１と裏側パネル２７の端末部３３とを挟持して、表側パネル２１が裏側パネル２７に取り付けられている。また、裏側パネル２７の凹部５３と反対側には係止突起５５が突設されている。また、裏側パネル２７の裏面２７ｂには、取付部として上記第１内装加飾パネル１のボス部２５の代わりに係合爪部５９ａを有する係合爪片５９が突設されている。
【００３３】
上記インストルメントパネル３には、上記係止突起５５に対応して凹部５７が、図４左側（図１手前側）の枠体３５に対応して段部５８が、上記係合爪部５９ａに対応して係合部６１がそれぞれ形成されている。
【００３４】
そして、上記のように構成された第２内装加飾パネル１９は、係合爪部５９ａを係合部６１に係合させて係止突起５５を凹部５７に嵌合させるとともに、枠体３５をインストルメントパネル３の段部５８に嵌入して、第２内装加飾パネル１９がインストルメントパネル３に取り付けられている。こうして、上記裏側パネル２７の係合爪部５９ａがインストルメントパネル３の係合部６１に係合されて、上記第２内装加飾パネル１９がインストルメントパネル３から離脱しないようになっている。
【００３５】
以下実施形態２〜５においても、第２内装加飾パネル１９は同様に構成されているので説明を省略する。
【００３６】
このように、実施形態１に係る発明によれば、第１及び第２内装加飾パネル１，１９は取付部（ボス部２５、係合爪部５９ａ）を有し、該ボス部２５をボス嵌入凹部５１に、係合爪部５９ａを係合部６１に対応して係合させてインストルメントパネル３に取り付けられているので、位置ずれを生じることなく、位置決めを容易に行うことができ、第１及び第２内装加飾パネル１，１９をインストルメントパネル３に確実に取り付けることができる。さらに、表側パネル２１と裏側パネル２７との間には空間２９が形成されているので両者が当接しないため、当接音による不快感を乗員に与えることがなく、また、当接による塗膜層２３の傷付きも防止することができる。加えて、塗膜層２３が形成された表側パネル２１の裏側に直接ボス部２５及び係合爪片５９を設けていないので、これらが塗膜層２３の形成の邪魔にならず、意匠性の高い塗膜層２３の形成を容易に行うことができる。
【００３７】
加えて、表側パネル２１と裏側パネル２７とを各々の端末部３１，３３を枠体３５で挟持して確実に固定することができ、さらに、上記枠部３５が表面意匠のアクセントとなって意匠性を向上させることができる。
【００３８】
なお、本実施形態１では、上記塗膜層２３は、第１塗膜層２３ａと第２塗膜層２３ｂとで構成したが、単一の塗膜層で構成してもよい。また、上記枠部３５は本実施形態１では樹脂製であるが、金属製であってもよい。
【００３９】
（実施形態２）
図５は、実施形態２に係る第１内装加飾パネル１を示す。該第１内装加飾パネル１では、実施形態１における表側パネル２１の塗膜層２３のうち、透過視可能なような透かし模様の第１塗膜層２３ａが表側パネル２１の裏面２１ｂに形成され、下地を構成する第２塗膜層２３ｂが裏側パネル２７の表面２７ａに形成されている。その他は、実施形態１と同様に構成されているので同様の構成箇所には同一の符号を付してその説明を省略する。
【００４０】
このように、実施形態２に係る発明によれば、実施形態１と同様の作用効果を奏するとともに、裏側パネル２７の表面２７ａ意匠を空間２９を通して透過視可能であるので、表側パネル２１に形成された第１塗膜層２３ａと裏側パネル２７に形成された第２塗膜層２３ｂとが距離を隔てて重なり合って意匠を構成し、両者の間に空間２９が形成されているので遠近感が出て深みのある複雑な意匠を構成することができる。
【００４１】
なお、裏側パネル２７自体の色と第２塗膜層２３ｂの色とが同色である場合には、第２塗膜層２３ｂはなくてもよく、上記と同様の意匠を構成することができる。
【００４２】
（実施形態３）
図６は、実施形態３に係る第１内装加飾パネル１を示す。該第１内装加飾パネル１では、表側パネル２１は半透明材からなり、表側パネル２１の裏面２１ｂが湾曲して形成され、該表側パネル２１の厚みが中央部が薄く、中央部から両側の端末部３１に向かって漸次増大している。また、裏側パネル２７は両側の端末部３３も含めて全体がほぼ等しい厚みに形成されている。その他は、実施形態１と同様に構成されているので同様の構成箇所には同一の符号を付してその説明を省略する。
【００４３】
このように、実施形態３に係る発明によれば、実施形態１と同様の作用効果を奏するとともに、第１内装加飾パネル１の端末部３１，３３近傍において表側パネル２１の厚み変化により塗膜層２３が霞んで見え、変化に富んだ意匠にすることができる
（実施形態４）
図７には、実施形態４に係る第１内装加飾パネル１を示す。該第１内装加飾パネル１では、表側パネル２１の裏面２１ｂに波状の凹凸模様６３ａが形成され、該凹凸模様６３ａの上に第１塗膜層２３ａが形成されている。裏側パネル２７の表面２７ａにも上記波状の凹凸模様６３ａに対応して波状の凹凸模様６３ｂが形成され、該凹凸模様６３ｂの上に第２塗膜層２３ｂが形成されている。その他は、実施形態１と同様に構成されているので同様の構成箇所には同一の符号を付してその説明を省略する。
【００４４】
このように、実施形態４に係る発明によれば、実施形態１と同様の作用効果を奏するとともに、表側パネル２１の裏面２１ｂ及び裏側パネル２７の表面２７ａに形成された凹凸模様６３ａ，６３ｂで光が屈折し、深みのある立体的な意匠を構成することができる。
【００４５】
なお、用途や目的によっては、表側パネル２１の裏面２１ｂにだけ凹凸模様６３ａを形成したり、裏側パネル２７の表面２７ａにだけ凹凸模様６３ｂを形成してもよい。しかし、表側パネル２１の裏面２１ｂ及び裏側パネル２７の表面２７ａの両側に凹凸模様６３ａ，６３ｂを形成した方がより一層深みのある立体的な意匠を構成することができる。
【００４６】
（実施形態５）
図８は、実施形態５に係る第１内装加飾パネル１を示す。実施形態１では、第１内装加飾パネル１が射出成形により成形されているのに対し、本実施形態５では、表側パネル２１のみが真空成形により成形されており、裏側パネル２７及び枠体３５は実施形態１と同様に射出成形により成形されている。したがって、真空成形品である表側パネル２１の厚みは、その成形方法に起因して両側の端末部３１を含めて略全体に亘って均一に形成されている。その他は、実施形態１と同様に構成されているので同様の構成箇所には同一の符号を付してその説明を省略する。
【００４７】
このように、実施形態４に係る発明によれば、実施形態１と同様の作用効果を奏するとともに、射出成形以外の安価な成形方法である真空成形によっても表側パネル２１を成形することができる。
【産業上の利用可能性】
【００４８】
この発明は、インストルメントパネル等の車両用内装品に取り付けられる内装加飾パネルについて有用である。
【図面の簡単な説明】
【００４９】
【図１】実施形態１に係る第１及び第２内装加飾パネルが適用されたインストルメントパネルの正面図である。
【図２】実施形態１に係る第１内装加飾パネルの正面図である。
【図３】図１及び図２のIII−III線における断面図である。
【図４】図１のIV−IV線における断面図である。
【図５】実施形態２に係る図３相当図である。
【図６】実施形態３に係る図３相当図である。
【図７】実施形態４に係る図３相当図である。
【図８】実施形態５に係る図３相当図である。
【符号の説明】
【００５０】
１          第１内装加飾パネル
３          インストルメントパネル（車両用内装品）
１９          第２内装加飾パネル
２１          表側パネル
２１ｂ        表側パネルの裏面
２３          塗膜層
２３ａ        第１塗膜層
２３ｂ        第２塗膜層
２５          ボス部（取付部）
２７          裏側パネル
２９          空間
３１，３３    端末部
３５          枠体
【図１】
2007145237.tif 000003
【図２】
2007145237.tif 000004
【図３】
2007145237.tif 000005
【図４】
2007145237.tif 000006
【図５】
2007145237.tif 000007
【図６】
2007145237.tif 000008
【図７】
2007145237.tif 000009
【図８】
2007145237.tif 000010